(57)【要約】      （修正有）【課題】継部材の前後竿杆を互いに異なる方向に捩じりながらの操作に耐え得るインロー継合構造を有する釣竿を提供する。【解決手段】継部材３０はプリプレグシートによって成形された傾斜層３０Ｃを具備し、該傾斜層３０Ｃはそのプリプレグシートの強化繊維が該継部材３０の中心軸線ＣＬに対して１５度以上傾斜していると共に該継部材３０の一端３０Ｅ１側から他端３０Ｅ２側に連続して設けられている。前後の竿杆１０，２０には、該各竿杆の本体層に付加させて、継ぎ合わせると対面する各竿杆の端から、継部材３０の挿入端の位置よりも適宜量奥の位置にまで亘って、プリプレグシートによって成形され、そのプリプレグシートの強化繊維が各竿杆の中心軸線に対して１５度以上傾斜する各竿杆側傾斜層１０Ｃ，２０Ｃによる捩じり剛性が前記傾斜層３０Ｃによる継部材３０の露出領域の捩じり剛性よりも小さくなるよう構成する。【選択図】図２
2011125259.tif 000002
【特許請求の範囲】
【請求項１】
少なくとも長手方向指向の強化繊維を有する繊維強化合成樹脂製の本体層を有する前後の竿杆が、少なくとも長手方向指向の強化繊維を有する繊維強化合成樹脂製のインロー継合用継部材によって継ぎ合わせされ、
該継部材はプリプレグシートによって成形された傾斜層を具備し、該傾斜層はそのプリプレグシートの強化繊維が該継部材の中心軸線に対して１５度以上傾斜していると共に該継部材の一端側から他端側に連続して設けられており、
前記前後の竿杆には、該各竿杆の本体層に付加させて、継ぎ合わせると対面する各竿杆の端から、継部材の挿入端の位置よりも適宜量奥の位置にまで亘って、プリプレグシートによって成形され、そのプリプレグシートの強化繊維が各竿杆の中心軸線に対して１５度以上７５度以下に傾斜する各竿杆側傾斜層を具備し、該各竿杆側傾斜層による捩じり剛性は前記傾斜層による継部材の露出領域の捩じり剛性よりも小さい
ことを特徴とするインロー継合構造を有する釣竿。
【請求項２】
前記各本体層は、プリプレグシートによって成形されてその強化繊維が各竿杆の中心軸線に対して１５度以上傾斜する傾斜層を有しておらず、前記継部材の前記傾斜層は、該継部材の繊維強化合成樹脂の複数層の中で最外層である
請求項１記載のインロー継合構造を有する釣竿。
【請求項３】
前記各竿杆側傾斜層は、対応する各竿杆の最内層に位置し、該各竿側傾斜層も前記継部材の傾斜層も、夫々の部材の表面に強化繊維が現れている請求項２記載のインロー継合構造を有する釣竿。
【発明の詳細な説明】
【技術分野】
【０００１】
本発明は、継式釣竿に関し、特にインロー継合構造を有する釣竿に関する。
【背景技術】
【０００２】
釣竿の軽量化の観点から、竿杆本体層としては、強化繊維が傾斜方向に指向した傾斜層を設けない場合が多くなって来ている。特に、持ち重りを防止すべき鮎竿の他、ルアーロッドやフライロッドやへら竿においてはその傾向が強い。また、継ぎ合わせ対象の前後竿杆の外径を同じにできる等のメリットのため、従来からインロー継合構造を採用した釣竿が使用されている。こうしたインロー継合式釣竿やインロー継部材に関する出願が下記のように見られる。
【特許文献１】特開２０００−２７９０６３号公報
【特許文献２】特開２０００−３００１２３号公報
【特許文献３】特開２００３−２５０３９６号公報
【特許文献４】特開２００４−２５４６５０号公報
【発明の開示】
【発明が解決しようとする課題】
【０００３】
然しながら、上記種類の釣竿をインロー継ぎ合わせの継式釣竿に構成すると、抜き差しに際してインロー継合用の継部材の前又は後ろの竿杆を捩じりながら操作することになる。この場合、竿杆と継部材には大きな捩じり荷重が作用する。インロー継合用の継部材自体は一般に前後の竿杆の外径よりも一段と細径であるため、元来、捩じり剛性は小さくなる。
依って解決しようとする課題は、竿杆の抜き差しに際し、インロー継合用継部材の前後竿杆を互いに異なる方向に捩じりながらの操作に耐え得るインロー継合構造を有する釣竿を提供する。また、それと共に竿杆の軽量化を図る。
【課題を解決するための手段】
【０００４】
上記課題に鑑みて第１の発明は、少なくとも長手方向指向の強化繊維を有する繊維強化合成樹脂製の本体層を有する前後の竿杆が、少なくとも長手方向指向の強化繊維を有する繊維強化合成樹脂製のインロー継合用継部材によって継ぎ合わせされ、該継部材はプリプレグシートによって成形された傾斜層を具備し、該傾斜層はそのプリプレグシートの強化繊維が該継部材の中心軸線に対して１５度以上傾斜していると共に該継部材の一端側から他端側に連続して設けられており、前記前後の竿杆には、該各竿杆の本体層に付加させて、継ぎ合わせると対面する各竿杆の端から、継部材の挿入端の位置よりも適宜量奥の位置にまで亘って、プリプレグシートによって成形され、そのプリプレグシートの強化繊維が各竿杆の中心軸線に対して１５度以上７５度以下に傾斜する各竿杆側傾斜層を具備し、該各竿杆側傾斜層による捩じり剛性は前記傾斜層による継部材の露出領域の捩じり剛性よりも小さいことを特徴とするインロー継合構造を有する釣竿を提供する。
本体層とは、各竿杆の全長又はこれに近い長さを有する層、具体的には全長の８０％以上の長さの層をいう。
【０００５】
第２の発明では、第１の発明の前記各本体層は、プリプレグシートによって成形されてその強化繊維が各竿杆の中心軸線に対して１５度以上傾斜する傾斜層を有しておらず、前記継部材の前記傾斜層は、該継部材の繊維強化合成樹脂の複数層の中で最外層であるよう構成する。
第３の発明では、第２の発明の前記各竿杆側傾斜層は、対応する各竿杆の最内層に位置し、該各竿側傾斜層も前記継部材の傾斜層も、夫々の部材の表面に強化繊維が現れているよう構成する。
【発明の効果】
【０００６】
第１の発明では、傾斜層の存在は継部材の捩じり剛性に大きく寄与し、前後竿杆に比べて細径の継部材露出部の捩じり剛性を確保できる。また、前後竿杆における竿杆側傾斜層が付加されている領域では、竿杆側傾斜層の付加されていない竿杆領域よりも捩じり剛性が高く、抜き差し操作の際の捩じり負荷に対して強い。前後竿杆の抜き差し操作では、各手で夫々の竿杆の竿杆側傾斜層の無くなる竿杆長手方向の位置辺りを摘まむ（逆に言えば、そうした位置辺りで終端するように竿杆側傾斜層を設ける）。しかし、この竿杆側傾斜層の無くなる位置における竿杆の捩じり剛性の大きな変化は、摘み位置のバラツキ等によっては竿杆側傾斜層の無い領域を摘まむ場合もあり得て、こうした場合の捩じりによる竿杆損傷を防止すべく、即ち、竿杆側傾斜層の存在領域と存在していない領域とにおける捩じり剛性の差を大きくし過ぎないように（小さく）すべく、捩じり剛性は継部材の傾斜層の捩じり剛性と比較して小さくしている。
【０００７】
第２の発明では、各竿杆の本体層には傾斜層が無いため、竿杆の軽量化が図れると共に竿杆側傾斜層が竿杆の捩じり剛性の大部分を支配する。また、継部材の傾斜層は最外層に位置するため、小径ながら最も効果的に捩じり剛性を確保できる。
第３の発明では、継部材の外面と、該継部材に対して継ぎ合わせされる竿杆の内面とは、共に傾斜方向に指向した多数の強化繊維が現れるため、両者間の摩擦力が増大し、釣り操作時に抜け難くなる。
【発明を実施するための最良の形態】
【０００８】
以下、本発明を添付図面を用いて更に詳細に説明する。図１は本発明に係る釣竿の一例としてのルアーロッドの側面図、図２は図１のＢ部の拡大縦断面図である。エポキシ樹脂等のマトリックス樹脂を炭素繊維等の強化繊維で強化した繊維強化樹脂製の竿杆１０，２０を使用している。中空状の元竿１０の前端部には、該元竿先端部の内径と実質同じ外径の繊維強化樹脂製の継部材３０の後部を挿入し、接着等で固定している。該継部材はその先部を除き、全体が概ね同一径の棒状部材である。
【０００９】
また、元竿の後部にはグリップ部ＧＲが設けられており、このグリップ部の直前位置にリール（この例ではスピニングリール）Ｒを装着固定するリール装着部ＲＳが設けられている。
一方、前記継部材３０の先方部３０Ｓは先細り状に形成されており、この先方部を含む先部が先竿２０の後端部の孔Ｈに挿入されて前後の竿杆１０，２０（本発明の元竿１０と先竿２０）が継ぎ合わされる。
【００１０】
継部材３０は、中心軸線ＣＬを中心軸線としたソリッド状の芯部３０Ａを有し、その直ぐ外側には、プリプレグシートを巻回して形成され、長手方向に指向した強化繊維を主体とする軸長方向層３０Ｂを設け、更にその直ぐ外側には、プリプレグシートを巻回して形成され、主に強化繊維が傾斜方向に指向した傾斜層３０Ｃを有している。芯部３０Ａは、炭素繊維やガラス繊維を長手方向に引き揃えたり、これらの引き揃え強化繊維束を束ねたりしたものに、エポキシ樹脂等の合成樹脂を含浸させて加熱成形する。この形態例では、軸長方向層３０Ｂは、芯部に使用の炭素繊維と同等以上の縦弾性率を有する炭素繊維を長手方向に指向させており、しかも、その炭素繊維の密度は、芯部よりも高い。
【００１１】
また、この形態例では、軸長方向層に使用したプリプレグシートにはガラススクリムシート（軸長方向と周方向（９０度）の繊維を有する織布）の裏打ちがあるが、これを炭素繊維の裏打ちにしてもよく、また、裏打ち無しの、炭素繊維の単純な引き揃えプリプレグシートでもよい。更には、軸長方向層３０Ｂは継部材３０の一端３０Ｅ１又はその近傍から、他端３０Ｅ２又はその近傍にまで亘っている。
【００１２】
また、傾斜層３０Ｃは、適宜な縦弾性率の炭素繊維を、中心軸線ＣＬの方向に対して４５度方向に指向させ、同じ炭素繊維を同じ量−４５度の方向に指向させ、中心軸線ＣＬの方向に対して、実質的に力学的に対称になるように形成している。その形態としては、織布に形成したプリプレグシートを巻回したり、一方向引き揃えのプリプレグシートの一方を４５度方向に指向させ、他方を−４５度方向に指向させ、これらを上下に重ね合わせたりする。勿論、傾斜角度は４５度に限らず、捩じれ荷重に対抗できる１５度以上７５度以下の範囲で適宜選択できる。好ましくは３０〜６０度である。
【００１３】
上記形態例において傾斜層に使用したプリプレグシートにはガラススクリムシートの裏打ちがあるが、これを炭素繊維の裏打ちにしてもよく、また、裏打ち無しの、炭素繊維の引き揃えプリプレグシートでもよい。更には、傾斜層３０Ｃは継部材３０の一端３０Ｅ１又はその近傍から、他端３０Ｅ２又はその近傍まで亘っている。継部材３０は最外層に傾斜層３０Ｃを有するため、表面に強化繊維による極微小凹凸が現れている。
【００１４】
上記軸長方向層３０Ｂの存在で、前後の竿杆１０，２０に対して一段と細径である露出している部分の継部材３０が効果的に撓み剛性を向上できる。また、強化繊維の層の最外層である傾斜層３０Ｃの存在により、前後竿杆１０，２０から露出している露出領域においても効果的に捩じり剛性を担保できる。更には、軸長方向層３０Ｂと傾斜層３０Ｃの径方向位置を入れ替えることもできる。また、芯部３０Ａに代わって、強化繊維が長手方向指向のプリプレグシート（裏打ちの有無は問わない）の巻装による１又は複数層で構成してもよく、この場合も、継部材３０の適宜な位置の内側層に対して、この内側層よりも外側の層であって、適宜な位置の外側層（例えば、図２の位置の軸長方向層３０Ｂ）において、炭素繊維の密度が高い層が存在する。こうして、３層以上の層数の軸長方向層が存在する場合、外側へ行くほど縦弾性率が同等以上であって、繊維密度が高いことが好ましい。なお、継部材３０は中心軸線を含む中心部領域が空洞でもよい。
【００１５】
元竿１０は、その長さの概ね全長に亘る本体層としての、内層１０Ａとその外側にある外層１０Ｂとを有しており、図２に示すように、その先端部近くの領域においては、先端から、継部材３０が挿入接着固定されている後端位置を幾分（２００ｍｍ以内の寸法）越える範囲にまで亘って２つの層１０Ａ，１０Ｂの間に、竿杆側傾斜層１０Ｃが配設されている。この竿杆側傾斜層１０Ｃはプリプレグシートによって形成され、主たる強化繊維が傾斜方向に指向している。この竿杆側傾斜層１０Ｃについての詳細は、長さや厚さを除いて、継部材３０の傾斜層３０Ｃにおいて説明した事項が適用できる。
【００１６】
一方、層１０Ａ，１０Ｂは強化繊維としての炭素繊維が竿杆の長手方向に指向するようにプリプレグシートを巻回して形成している。この形態例のプリプレグシートはガラス繊維によるスクリムシートの裏打ちを有しているが、ガラス繊維に代えて炭素繊維でもよく、また裏打ちが無くてもよい。また長手方向の強化繊維に加えて、これとほぼ直交する周方向の強化繊維を有していてもよい。更には、この形態例では１枚のプリプレグシートによって層１０Ａと層１０Ｂとを連続巻回形成しているが、別々のプリプレグシートで形成してもよい。
【００１７】
また、元竿１０の先端近くの領域、即ち、継部材３０が挿入されている長さ範囲内の領域の外周１０Ｓは先細状に形成されており、釣竿が撓んだ際、元竿先端位置における継部材３０への応力集中を防止している。先竿２０の後端近くは、元竿先端位置と同等の径又はより小径にして、撓み剛性を同等か小さくなるように設計する。継部材３０の挿入されている先竿領域外周を、元竿先部領域と同様に竿端に向かって漸次細径化させてもよい。
【００１８】
先竿２０の層２０Ａ，２０Ｂ，２０Ｃに対する事項は、夫々、元竿の各層１０Ａ，１０Ｂ，１０Ｃの説明事項と同様であり、異なるのは、元竿の先側が先竿の後側に対応し、また、この形態例では、先竿２０の後端近くの領域は後細状には形成されていないことである。
【００１９】
このように、元竿１０の先端近くの領域と先竿２０の後端近くの領域に竿杆側傾斜層を設けているため、元竿と先竿との継ぎ合わせを解除する際に、一方の手で元竿１０の先端近く（竿杆側傾斜層１０Ｃの元竿内部で終端している位置辺り）を握り、他方の手で先竿２０の後端近く（竿杆側傾斜層１０Ｃの先竿内部で終端している位置辺り）を握って互いに逆方向に捩じりながら、両竿杆を引き離す操作の際に、各竿杆に発生する捩じり荷重に対抗できる。
しかも、元竿１０と先竿２０の竿杆側傾斜層は、元竿と先竿を継ぎ合わせた際に、少なくとも夫々継部材３０の先端と後端に対応する位置の前後に亘って配設されているため、両竿杆を引き離す操作の際に、元竿と先竿の応力が集中する位置の捩じり荷重に対抗している。
【００２０】
継部材３０の傾斜層３０Ｃと、前後竿杆１０，２０の竿杆側傾斜層１０Ｃ，２０Ｃとの具体的な捩じり剛性値を例示する。傾斜層３０Ｃにつき、半径Ｒ３（ｍｍ）、肉厚Ｔ３（ｍｍ）、炭素繊維の縦弾性率Ｅ３、エポキシ樹脂体積比率γ３（％）とする。また、竿杆側傾斜層１０Ｃにつき、半径Ｒ１（ｍｍ）、肉厚Ｔ１（ｍｍ）、炭素繊維の縦弾性率Ｅ１（Ｎ／ｍｍ２）、エポキシ樹脂体積比率γ１（％）、長さＬ１（ｍｍ）とし、竿杆側傾斜層２０Ｃにつき、半径Ｒ２（ｍｍ）、肉厚Ｔ２（ｍｍ）、炭素繊維の縦弾性率Ｅ２、エポキシ樹脂体積比率γ２（％）、長さＬ２（ｍｍ）とする。
【００２１】
Ｒ１＝２．９ｍｍ
Ｒ２＝２．８ｍｍ
Ｒ３＝２．４ｍｍ
Ｔ１＝０．０９０ｍｍ
Ｔ２＝０．０８５ｍｍ
Ｔ３＝０．１９０ｍｍ
Ｅ１＝２５ｔｆ／ｍｍ２＝２４５０００Ｎ／ｍｍ２
Ｅ２＝２５ｔｆ／ｍｍ２＝２４５０００Ｎ／ｍｍ２
Ｅ３＝２５ｔｆ／ｍｍ２＝２４５０００Ｎ／ｍｍ２
γ１＝４５％
γ２＝４５％
γ３＝４５％
Ｌ１＝１００ｍｍ
Ｌ２＝１２５ｍｍ
【００２２】
以上の結果、竿杆側傾斜層１０Ｃ、竿杆側傾斜層２０Ｃ、傾斜層３０Ｃの各捩じり剛性値は、夫々、３６０００ｋｇｆ・ｍｍ２＝３５２８００Ｎ・ｍｍ２、３１５００ｋｇｆ・ｍｍ２＝３０８７００Ｎ・ｍｍ２、４４５００ｋｇｆ・ｍｍ２＝４３６１００Ｎ・ｍｍ２である。このように、各竿杆側傾斜層による捩じり剛性は、傾斜層３０Ｃによる捩じり剛性よりも小さく設定している。従って、各竿杆１０，２０の竿杆側傾斜層の存在する領域と無い領域との捩じり剛性の差が大きくなり過ぎないようになっている。
【００２３】
竿杆側傾斜層１０Ｃ、竿杆側傾斜層２０Ｃ、傾斜層３０Ｃの上記捩じり剛性によって、元竿１０の竿杆側傾斜層１０Ｃを設けた領域の捩じり剛性は５９０００ｋｇｆ・ｍｍ２＝５７８２００Ｎ・ｍｍ２、先竿２０の竿杆側傾斜層２０Ｃを設けた領域の捩じり剛性は５９５００ｋｇｆ・ｍｍ２＝５８３１００Ｎ・ｍｍ２であって同等である。継部材３０の露出領域（元竿１０と先竿２０の間に現れた領域）の剛性は６３５００ｋｇｆ・ｍｍ２＝６２２３００Ｎ・ｍｍ２となり、これらより大きい。
【００２４】
更に、元竿１０の竿杆側傾斜層１０Ｃを設けていない領域部分と、先竿１０の竿杆側傾斜層２０Ｃを設けていない領域部分の捩じれ剛性は、夫々、２８０００ｋｇｆ・ｍｍ２＝２７４４００Ｎ・ｍｍ２、２３０００ｋｇｆ・ｍｍ２＝２２５４００Ｎ・ｍｍ２であって、元竿１０の方が大きく、また、両者は竿杆側傾斜層１０Ｃ，２０Ｃを有する領域よりも捩じれ剛性が小さい。なお、竿杆側傾斜層１０Ｃ，２０Ｃを設けた領域が、前後の竿杆１０，２０の継ぎ合わせを解除する際に、夫々の部位を握持して各竿杆を捩じりながら引き抜く作業を行う領域である。
【００２５】
図３は本発明に係る他の形態の釣竿の要部縦断面図を示し、図２に対応する図である。図２の場合と異なる事項を説明する。この形態例では図２の場合と各竿杆側傾斜層１０Ｃ，２０Ｃの位置が異なる。即ち、各竿杆側傾斜層は各竿杆の最内層に位置している。また、先竿内表面には、竿杆側傾斜層２０Ｃの炭素繊維が現われ、強化繊維であるこの炭素繊維による極微小凹凸が現れており、継ぎ合わせた際に先竿内部に位置する継部材３０の外表面にも傾斜層の炭素繊維が現われ、強化繊維であるこの炭素繊維による極微小凹凸が現れている。これら極微小凹凸は強化繊維に沿って中心軸線ＣＬに対し傾斜方向に延びるように形成されている。
【００２６】
その他の事項については図２の場合と同様である。図３の形態における元竿側の利点は、継部材３０の最外層に傾斜層３０Ｃが存在し、元竿１０の最内層も（竿杆側）傾斜層１０Ｃであるため、先竿２０の抜き差し等により捩じり荷重が発生した場合に、継部材３０と元竿１０との間の捩じり荷重の伝達が円滑になる。
【００２７】
図３の形態における先竿側の利点は、先竿２０の最内層が内表面に多数の炭素繊維の極微小凹凸の現れた（竿杆側）傾斜層であり、継部材３０の最外層の傾斜層３０Ｃの外表面にも多数の炭素繊維の極微小凹凸が現れているため、両者が接触することで互いの間の摩擦力が大きくなり、釣り操作中に抜け難くなる。
以上の形態例では、元竿と先竿の本体層には傾斜方向層が無いため竿杆（釣竿）の軽量化が図れる。
【００２８】
以上の形態例と異なり、第１の発明の観点では、元竿１０や先竿２０の本体層の中に、強化繊維が傾斜方向に指向する層を有していてもよい。また、継部材３０の傾斜層３０Ｃは最外層でなくてもよい。
更には、継部材３０を前側竿杆に挿入接着固定させ、これに対して後側竿杆を抜き差しするように構成してもよい。
【産業上の利用可能性】
【００２９】
本発明は、ルアーロッドやフライロッドやへら竿等のインロー継合部分を有する継式釣竿に利用できる。
【図面の簡単な説明】
【００３０】
【図１】図１は本発明に係る釣竿の側面図である。
【図２】図２は図１のＢ部の拡大縦断面図である。
【図３】図３は本発明に係る他の形態の釣竿の要部縦断面図である。
【符号の説明】
【００３１】
１０                        元竿
１０Ｃ                      竿杆側傾斜層
２０                        先竿
２０Ｃ                      竿杆側傾斜層
３０                        継部材
３０Ａ                      芯部
３０Ｂ                      軸長方向層
３０Ｃ                      傾斜層
【図１】
2011125259.tif 000003
【図２】
2011125259.tif 000004
【図３】
2011125259.tif 000005